(57)【要約】      （修正有）【課題】太陽電池パネルの向きを容易に調整可能である太陽電池パネル用の架台の取り付け構造を提供する。【解決手段】太陽電池パネル用の架台は、チャンネル８０を介して、取り付け部材２によって屋根上に取り付けられる。取り付け部材２において、チャンネル８０を支持する支持板２０には、Ｂ方向に長尺なルーズホールであるボルト孔２４が形成されている。Ｂ方向は屋根を構成する垂木に沿った方向であり、Ａ方向は屋根表面に沿い且つＢ方向に直交する方向である。これにより、チャンネル８０をＡ方向及びＢ方向の両方向に多少傾斜させても、ボルト孔２４を貫通するボルトによって取り付け部材２に固定可能である。【選択図】図５
0003185161.tif 000002
【実用新案登録請求の範囲】
【請求項１】
互いに平行な複数本の垂木上に屋根板が配置された屋根上に、前後方向が規定された、太陽電池パネル用の架台を取り付ける取り付け構造であって、
前記垂木の延び方向に対して所定の向きになるように、前記屋根板を貫通して前記垂木まで到達した第１螺子部材によって前記垂木に固定された基部と、前記基部と一体であり又は前記基部に固定された、前記架台を支持する支持部とを有する取り付け部材を備えており、
前記垂木の延び方向に関して螺子留めの位置を調整可能な螺子留め用の貫通孔が前記支持部に形成されており、
複数の前記取り付け部材が、互いに異なる２本以上の前記垂木に、その１本ごとに少なくとも１個ずつ固定されており、
前記架台が、前記屋根板に直交する方向から見てその前後方向が前記垂木の延び方向に対して傾斜するように、前記複数の取り付け部材における前記貫通孔のそれぞれに第２螺子部材によって固定されることを特徴とする太陽電池パネル用の架台の取り付け構造。
【請求項２】
互いに平行な複数本の垂木上に屋根板が配置された屋根上に、前後方向が規定された、太陽電池パネル用の架台を取り付ける取り付け構造であって、
前記垂木の延び方向に対して所定の向きになるように、前記屋根板を貫通して前記垂木まで到達した第１螺子部材によって前記垂木に固定された基部と、前記基部と一体であり又は前記基部に固定された、前記架台を支持する支持部とを有する取り付け部材を備えており、
複数の前記取り付け部材が、互いに異なる２本以上の前記垂木に、その１本ごとに少なくとも１個ずつ固定されており、
前記複数の取り付け部材が、前記垂木の延び方向に関して互いに異なる位置に配置されており、
前前記架台が、前記屋根板に直交する方向から見てその前後方向が前記垂木の延び方向に対して傾斜するように、前記複数の取り付け部材における前記貫通孔のそれぞれに第２螺子部材によって固定されることを特徴とする太陽電池パネル用の架台の取り付け構造。
【請求項３】
前記複数の取り付け部材が、前記垂木の延び方向に関して互いに異なる位置に配置されていることを特徴とする請求項１に記載の太陽電池パネル用の架台の取り付け構造。
【請求項４】
前記取り付け部材が、
前記基部を含む一対の基板と、当該一対の基板によって挟まれた、前記支持部を含む支持板とを有しており、
前記一対の基板及び前記支持板が、これらを貫通する第３螺子部材によって互いに固定されており、
前記第３螺子部材の軸が前記垂木同士を結ぶ方向に延びており、
前記支持板が、前記第３螺子部材の軸を中心とした回転方向の位置を調整可能に前記基板に固定されていることを特徴とする請求項１〜３のいずれか１項に記載の太陽電池パネル用の架台の取り付け構造。
【考案の詳細な説明】
【技術分野】
【０００１】
本考案は、太陽電池パネル用の架台を屋根上に取り付ける取り付け構造に関する。
【背景技術】
【０００２】
屋根上に太陽電池パネルを取り付ける方法として、特許文献１のような取り付け構造がある。
【先行技術文献】
【特許文献】
【０００３】
【特許文献１】実用新案登録第３１７７５９１号
【考案の概要】
【考案が解決しようとする課題】
【０００４】
特許文献１に開示する取り付け構造によると、太陽電池パネルの向きを調整するのが容易ではない。
【０００５】
本考案の目的は、太陽電池パネルの向きを容易に調整可能な太陽電池パネル用の架台の取り付け構造を提供することにある。
【課題を解決するための手段】
【０００６】
第１の観点において、本考案の太陽電池パネル用の架台の取り付け構造は、互いに平行な複数本の垂木上に屋根板が配置された屋根上に、左右方向が規定された、太陽電池パネル用の架台を取り付ける取り付け構造であって、前記垂木の延び方向に対して所定の向きになるように、前記屋根板を貫通して前記垂木まで到達した第１螺子部材によって前記垂木に固定された基部と、前記基部と一体であり又は前記基部に固定された、前記架台を支持する支持部とを有する取り付け部材を備えており、前記垂木の延び方向に関して螺子留めの位置を調整可能な螺子留め用の貫通孔が前記支持部に形成されており、複数の前記取り付け部材が、互いに異なる２本以上の前記垂木に、その１本ごとに少なくとも１個ずつ固定されており、前記架台が、前記屋根板に直交する方向から見てその左右方向が前記垂木の延び方向に対して傾斜するように、前記複数の取り付け部材における前記貫通孔のそれぞれに第２螺子部材によって固定される。
【０００７】
第２の観点において、本考案の太陽電池パネル用の架台の取り付け構造は、互いに平行な複数本の垂木上に屋根板が配置された屋根上に、左右方向が規定された、太陽電池パネル用の架台を取り付ける取り付け構造であって、前記垂木の延び方向に対して所定の向きになるように、前記屋根板を貫通して前記垂木まで到達した第１螺子部材によって前記垂木に固定された基部と、前記基部と一体であり又は前記基部に固定された、前記架台を支持する支持部とを有する取り付け部材を備えており、複数の前記取り付け部材が、互いに異なる２本以上の前記垂木に、その１本ごとに少なくとも１個ずつ固定されており、前記複数の取り付け部材が、前記垂木の延び方向に関して互いに異なる位置に配置されており、前前記架台が、前記屋根板に直交する方向から見てその左右方向が前記垂木の延び方向に対して傾斜するように、前記複数の取り付け部材における前記貫通孔のそれぞれに第２螺子部材によって固定される。
【考案の効果】
【０００８】
第１の観点によると、支持部には、螺子留め用の貫通孔が、垂木の延び方向に関して螺子留めの位置を調整可能に形成されている。このため、複数の取り付け部材にわたって、垂木の延び方向に位置をずらしつつ架台を固定することで、垂木の延び方向に対して架台を傾斜させて設置することが容易に可能である。
【０００９】
第２の観点によると、複数の取り付け部材が、垂木の延び方向に関して互いに異なる位置に配置されている。これにより、複数の取り付け部材を垂木の延び方向に対して傾斜した直線上に配列することで、垂木の延び方向に対して架台を傾斜させて設置することが容易に可能である。
【図面の簡単な説明】
【００１０】
【図１】本考案の一実施形態に係る取り付け部材を介して太陽電池パネルが取り付けられた屋根の斜視図である。
【図２】屋根の縦断面図である。
【図３】取り付け部材の正面図である。屋根の構造は断面で示す。
【図４】チャンネルを固定した状態の取り付け部材の側面図である。
【図５】取り付け部材の平面図である。
【図６】架台の取り付け例である。図６（ａ）は架台の前後方向をＢ方向に沿わせた場合を、図６（ｂ）は架台の前後方向をＢ方向に対して傾斜させた場合をそれぞれ示す。
【図７】架台の前後方向をＡ方向及びＢ方向の両方に対して傾斜させる場合の取り付け部材の配置例を示す平面図（ただし、図５とはＡ方向及びＢ方向が逆）である。
【図８】第１の変形例に係る取り付け部材のチャンネルを固定した状態の正面図である。屋根の構造は断面で示す。
【図９】第１の変形例に係る取り付け部材の平面図である。
【図１０】第２の変形例に係る取り付け部材のチャンネルを固定した状態の正面図である。屋根の構造は断面で示す。
【図１１】第２の変形例に係る取り付け部材の平面図である。
【図１２】第３の変形例に係る取り付け部材のチャンネルを固定した状態の正面図である。屋根の構造は断面で示す。
【図１３】第３の変形例に係る取り付け部材の平面図である。
【考案を実施するための形態】
【００１１】
以下、本考案の一実施形態に係る屋根上設置物の取り付け構造１について、図面を参照しつつ説明する。
【００１２】
取り付け構造１は、太陽電池モジュールパネルを設置する架台１００を屋根上に取り付けるためのものである。架台１００は、図１及び図６に示すように、支柱１０２及び１０３、桁１０４及び補強材１０５から組み上げられた土台上に、太陽電池モジュールパネルが設置されるパネル台１０１が固定されることで構成されている。これらの部材はいずれも金属製である。パネル台１０１は、太陽電池モジュールパネルが斜め上方を向くように傾斜して配置されている。このパネルの向きを基準に、図１に示すように架台１００の方向が規定されている。
【００１３】
架台１００を設置する屋根としては、いわゆる陸屋根やバタフライ型屋根等が想定される。本実施形態では、一例として、水平な屋根に設置されるものとする。屋根９０は、垂木９１、下地９２及び複数枚の屋根板９３を有している。垂木９１は、互いに平行且つ等間隔に配列されている。以下、垂木９１の延びる方向に直交する方向をＡ方向、垂木９１が延びる方向をＢ方向とする。Ａ方向は本考案の「垂木同士を結ぶ方向」に対応し、Ｂ方向は本考案の「垂木の延び方向」に対応する。下地９２は、木製の合板などからなる平板状部材であり、屋根の面に沿った方向に平面的に広がっている。
【００１４】
屋根板９３は、金属製の薄板からなり、水平に配置されている。各屋根板９３は、隣接した２本の垂木９１間に跨って配置されており、Ａ方向に関する両端が垂木９１の上方に位置している。Ａ方向に隣接する屋根板９３同士は、垂木９１上方の端部において接合されている。この接合部は、図２に示す吊り子９４に固定されている。吊り子９４は、縦断面がＬ字型になるように折り曲げられた金属の薄板であり、下地９２を貫通するように打ち込まれた釘９５によって垂木９１に固定されている。各屋根板９３の端部は吊り子９４に沿って上方に折り曲げられ、さらにその上端において、隣の屋根板９３の端部との間に吊り子９４の上端を挟むように互いに折り重ねられている。このような屋根板９３同士の接合によって、屋根板９３の突出部９３ａが垂木９１上に形成されている。
【００１５】
取り付け構造１は、図１に示すように、複数の取り付け部材２を有している。取り付け部材２は、屋根板９３の突出部９３ａに、架台１００の一部である２本のチャンネル８０を取り付けるための部材である。取り付け部材２は、垂木９１の１本おきに設けられている。取り付け部材２は、１本の垂木に関して２個ずつ、Ｂ方向に関して架台１００の前後方向の幅に応じた所定の間隔を空けて配置されている。取り付け部材２は、屋根の表面に平行な一直線上に沿って２列に配列されており、２列は互いに平行である。図１に示す例では、Ａ方向に沿って２列に配列されている。各列の取り付け部材２には１本のチャンネル８０が固定されている。
【００１６】
取り付け部材２は、図３〜図５に示すように、２つの基板１０（基部）及び１つの支持板２０（支持部）を有している。基板１０は、金属製の平板をＬ字型に直角に折り曲げることにより構成されたＬ字板１１と、両面が粘着面である防水シート１２とを有している。Ｌ字板１１は、屋根板９３に水平に沿った底部１１ａと、底部１１ａの一端から上方（屋根板９３から離隔する方向）に延びた鉛直部１１ｂとを有している。底部１１ａには、Ｂ方向に沿って並んだビス固定用の３つのビス孔１３が形成されている。各ビス孔１３は、Ａ方向に長尺な楕円の概略形状を有している。鉛直部１１ｂには、ボルト固定用のボルト孔１４が形成されている。防水シート１２は、ブチルゴムなどの水を通さない弾性材料から構成されている。防水シート１２は、底部１１ａの下面に全面に亘って貼り付けられていると共に、端部が基板１０の角に沿って上方に折り曲げられ、鉛直部１１ｂの下部に貼り付けられている。この端部は、後述のように屋根板９３上に固定された際、図３に示すように突出部９３ａの上端まで到達するように調整されている。
【００１７】
２つの基板１０は、屋根板９３の突出部９３ａを挟んで背中合わせに配置され、屋根板９３上にビス３１（第１螺子部材）で固定されている。ビス３１は、底部１１ａのビス孔１３を通じ、屋根板９３及び下地９２を貫通するように、垂木９１に向かって斜め下方にねじ込まれる。ビス孔１３は、上記の通りＡ方向に長尺に形成されており、Ａ方向に関してビス３１の軸より若干大きさに余裕がある。このため、図３のＣ１方向又はＣ２方向に沿ってビス３１のねじ込み方向を調整することができる。基板１０の底部１１ａには３つのビス孔１３が形成されているが、このうち、Ｂ方向に両側の２つのビス孔１３が使用される。残りの中央のビス孔１３は、両側の２つのいずれかにおいてビス３１のねじ込みが失敗した等の場合に予備として使用される。
【００１８】
基板１０は、Ｌ字板１１に貼り付けられた防水シート１２が屋根板９３の突出部９３ａ及び屋根板９３の水平面にそれぞれ密着するように固定される。これにより、雨水や雪解け水などが突出部９３ａやビスの貫通孔などから浸入するのが抑制される。
【００１９】
支持板２０は、鉛直方向に沿った金属製の平板である鉛直部２１と、チャンネル８０を支持する金属製の平板である上部２２とを有している。鉛直部２１は、側面視において六角形のホームベース型の形状を有している（図４参照）。鉛直部２１には、ボルト固定用のボルト孔２３が形成されている。このボルト孔２３は、基板１０の鉛直部１１ｂ側のボルト孔１４と側面視においてちょうど重なる位置に配置されている。支持板２０全体のＢ方向に関する幅は、基板１０のＢ方向に関する幅より一回り小さい。支持板２０は、その鉛直部２１が基板１０の鉛直部１１ｂ同士の間に挟まれるようにボルト３２（第３螺子部材）及びナット３３によって２つの基板１０に固定されている。
【００２０】
ボルト３２の螺子軸はＡ方向に沿っており（図３参照）、支持板２０の固定位置は、この螺子軸を中心とした回転方向に関して調整可能である。例えば、支持板２０は、図４の実線及び破線で示すように、上部２２がＢ方向に沿う位置で固定されてもよいし、図４の一点鎖線に示すように、Ｂ方向に対して傾斜した位置で固定されてもよい。なお、鉛直部２１がホームベース型の形状を有していることにより、例えば鉛直部２１が矩形の形状を有している場合と比べて、鉛直部２１を回転させた際に下端の角部が下方の屋根板に当たりにくくなっている。
【００２１】
上部２２には、Ａ方向に沿って並んだ２つのボルト孔２４が形成されている。ボルト孔２４はＢ方向に長尺なルーズホールであるため、ボルトの留め位置をＢ方向に調整可能である（図５参照）。一方、チャンネル８０の底板にはボルト孔８０ａが形成されている。ボルト孔８０ａは、チャンネル８０の長さ方向に長尺なルーズホールであるため、ボルトの留め位置を長さ方向に調整可能である。上部２２とチャンネル８０は、ボルト孔２４及び８０ａを貫通するボルト３４とこれを留めるナット３５により固定されている。ボルト孔２４及び８０ａは、上記の通りルーズホールであるため、ボルト３４による留め位置が多少ずれても問題ない。したがって、例えば、チャンネル８０をＡ方向に沿った図５の破線の状態で上部２２に固定することはもちろん、Ａ方向に対して傾斜した図５の一点鎖線の状態で上部２２に固定することも可能である。
【００２２】
次に、架台１００の取り付けについて説明する。取り付け部材２を垂木９１に固定した後、支持板２０の上部２２の上面にチャンネル８０を固定する。そして、そのチャンネル８０に架台１００の支柱１０２及び１０３を固定することにより、架台１００を屋根上に設置することができる。図６（ａ）、図６（ｂ）及び図７はそれぞれ、取り付けの一例である。これらの図では一基の架台１００のみが示されているが、複数の架台１００がチャンネル８０の長さ方向に沿って並んでチャンネル８０に固定されてもよい。
【００２３】
本実施形態によれば、以下の通り、架台１００を取り付ける向きを調整可能である。第１に、Ａ方向に沿った軸周りの回転方向に関する向きの調整が可能である。例えば、各取り付け部材２において上部２２がＢ方向に沿うように支持板２０を配置した場合（図４の実線）、図６（ａ）に示すように、架台１００の前後方向がＢ方向に沿う。一方、上部２２がＢ方向に対して傾斜するように支持板２０を配置した場合（図４の一点鎖線）、図６（ｂ）に示すように、架台１００の前後方向をＢ方向に対して傾斜させることができる。なお、この場合、支柱１０２及び１０３の少なくともいずれかの長さを図６（ａ）の場合から変更する必要がある。図６（ｂ）の例では、図６（ａ）と比べて、支柱１０２を長くすると共に支柱１０３を短くしている。
【００２４】
第２に、屋根の表面に直交する軸周りの回転方向に関する向きの調整が可能である。図１は、架台１００の左右方向とＡ方向とが一致するように架台１００を設置した状態を示している。これに対し、図７は、架台１００の左右方向をＡ方向及びＢ方向の両方に対して傾斜させた状態を示している。このように設置するには、まず、取り付け部材２をＢ方向に関して互いにずらし、Ａ方向及びＢ方向の両方に対して傾斜した２列に配列されるように取り付け部材２を垂木９１に固定する。そして、チャンネル８０を取り付け部材２の各列に沿わせて配置し、取り付け部材２に固定する。このとき、上記の通り、チャンネル８０側のボルト穴であるボルト孔８０ａも取り付け部材２（上部２２）側のボルト穴であるボルト孔２４も、いずれもルーズホールとして形成されている。このため、図５に示すように、チャンネル８０を多少、傾斜させても、取り付け部材２に適切に固定することができる。
【００２５】
以下、取り付け部材の変形例について説明する。第１の変形例は、図８及び図９に示す取り付け部材２０２に関する。取り付け部材２０２は、上記の屋根板９３と比べ、Ａ方向に幅が大きい突出部２９３ａを有する屋根板２９３に対して使用される。架台１００は、チャンネル８０の代わりにチャンネル２８０を用いて取り付け部材２０２に固定される。なお、図８において、突出部２９３ａ内の構成の図示を一部省略している。また、上述の実施形態と同じ構成には同じ符号を付し、適宜説明を省略する。
【００２６】
取り付け部材２０２は、屋根板２９３上に設置される基板２１０と、基板２１０の上面に固定される支持板２２０とを有している。基板２１０は、Ｂ方向に直交するいずれの断面においても上方に矩形状に突出した凸部を有している。この凸部は、内部に突出部２９３ａが収容されるような大きさを有している。基板２１０の下端部は、Ａ方向の両側に突出しており、この突出部が防水シート２１２を介して屋根板２９３の上面に密着している。
【００２７】
基板２１０の上端部には環状のビス孔２１０ａが形成されており、このビス孔２１０ａを通じて上方からビス２９０が打ち込まれている。ビス２９０の先端は、屋根板２９３の突出部２９３ａ及び下地９２を貫通して垂木９１に達している。これにより、基板２１０が垂木９１に強固に固定されている。
【００２８】
支持板２２０は、Ｂ方向に長尺な２つのボルト孔２２０ａが形成された平板部材である。２つのボルト孔２２０ａは、Ｂ方向に関して同じ位置に形成され、Ａ方向に関して基板２１０の凸部を挟んで互いに離隔している。一方、チャンネル２８０側の底板には、チャンネル２８０の長さ方向に長尺なボルト孔２８０ａが形成されている。チャンネル２８０は、ボルト孔２２０ａ及び２８０ａを貫通するボルト３４とこれを留めるナット３５により、支持板２２０に固定されている。ボルト孔２２０ａ及び２８０ａは、上述の実施形態と同様、それぞれ長尺に形成されたルーズホールであるため、例えば、チャンネル２８０をＡ方向に沿った図９の破線の状態で支持板２２０に固定することも、Ａ方向に対して傾斜した図９の一点鎖線の状態で支持板２２０に固定することも可能である。取り付け部材２０２は、図１のようにＢ方向に同じ位置に配置しても、図７のようにＢ方向にずらして配置してもよい。
【００２９】
第２の変形例は、図１０及び図１１に示す取り付け部材３０２に関する。取り付け部材３０２も屋根板２９３に対して使用される。架台１００は、チャンネル８０の代わりにチャンネル３８０を用いて取り付け部材３０２に固定される。上述の実施形態又は変形例と同じ構成には同じ符号を付し、適宜説明を省略する。
【００３０】
取り付け部材３０２は、屋根板２９３上に設置される基板３１０と、基板３１０の上面に固定される支持板３２０とを有している。基板３１０の構成は、Ａ方向に関して基板２１０より幅広い点以外においては基板２１０の構成と同様である。基板３１０は、ビス孔３１０ａを通じ、ビス２９０によって垂木９１に固定される。支持板３２０は、Ｂ方向に直交するいずれの断面においても下方に矩形状に突出した凸部を有している。支持板３２０の底板は防水シート３１２を介して基板３１０の上面に固定されている。
【００３１】
支持板３２０の上端部は、Ａ方向に両側に突出している。この突出部には、Ｂ方向に長尺な２つのボルト孔３２０ａが形成されている。２つのボルト孔３２０ａは、Ｂ方向に関して同じ位置に形成され、Ａ方向に関して互いに離隔している。一方、チャンネル３８０側の底板には、チャンネル３８０の長さ方向に長尺なボルト孔３８０ａが形成されている。チャンネル３８０は、ボルト孔３２０ａ及び３８０ａを貫通するボルト３４とこれを留めるナット３５により、支持板３２０に固定されている。上述の実施形態や変形例と同様、チャンネル３８０をＡ方向に沿った図１１の破線の状態で支持板３２０に固定することも、Ａ方向に対して傾斜した図１１の一点鎖線の状態で支持板３２０に固定することも可能である。取り付け部材３０２は、図１のようにＢ方向に同じ位置に配置しても、図７のようにＢ方向にずらして配置してもよい。
【００３２】
第３の変形例は、図１２及び図１３に示す取り付け部材４０２に関する。取り付け部材４０２は、垂木９１上に突出部が形成されない屋根板４９３に対して使用される。架台１００は、チャンネル８０の代わりにチャンネル４８０を用いて取り付け部材４０２に固定される。上述の実施形態又は変形例と同じ構成には同じ符号を付し、適宜説明を省略する。
【００３３】
取り付け部材４０２は、本考案に係る基部及び支持部が一体となった支持板４１０を有している。支持板４１０は、Ｂ方向に直交するいずれの断面においても下方に矩形状に突出した凸部を有している。凸部の先端部に対応する底板には、環状のビス孔４１０ｂが形成されており、このビス孔４１０ｂを通じて上方からビス２９０が打ち込まれている。ビス２９０の先端は、屋根板４９３及び下地９２を貫通して垂木９１に達している。これにより、支持板４１０が垂木９１に強固に固定されている。
【００３４】
支持板４１０の上端部は、Ａ方向に両側に突出している。この突出部には、Ｂ方向に長尺な２つのボルト孔４１０ａが形成されている。２つのボルト孔４１０ａは、Ｂ方向に関して同じ位置に形成され、Ａ方向に関して凸部を挟んで互いに離隔している。一方、チャンネル４８０側の底板には、チャンネル４８０の長さ方向に長尺なボルト孔４８０ａが形成されている。チャンネル４８０は、ボルト孔４１０ａ及び４８０ａを貫通するボルト３４とこれを留めるナット３５により、支持板４１０に固定されている。上述の実施形態や変形例と同様、チャンネル４８０を、Ａ方向に沿った図１３の破線の状態で支持板４１０に固定することも、Ａ方向に対して傾斜した図１３の一点鎖線の状態で支持板４１０に固定することも可能である。取り付け部材４０２は、図１のようにＢ方向に同じ位置に配置しても、図７のようにＢ方向にずらして配置してもよい。
【００３５】
以下、上述の実施形態に係るその他の変形例について説明する。上述の実施形態や変形例では、取り付け部材２等をＢ方向にずらして配置することで、チャンネル８０等をＡ方向及びＢ方向のいずれに対しても傾斜させている（図７）。しかし、取り付け部材２等をＢ方向に同じ位置に配置すると共に、チャンネル８０等をＡ方向及びＢ方向の両方に傾斜させることもできる。チャンネル８０等を固定する貫通孔がいずれの実施例においてもルーズホールとして形成されているため、取り付け部材２等をＢ方向に同じ位置に配置してもある程度はチャンネル８０等を傾斜させて固定できるためである。
【００３６】
また、上述の実施形態や変形例では、取り付け部材やチャンネルのボルト孔をＢ方向に長尺なルーズホールとすることでボルト留めの位置を調整可能としている。しかし、これ以外の方法によりボルト留めの位置を調整可能であってもよい。例えば、取り付け部材においてはＢ方向に沿って、チャンネルにおいてはその長さ方向に沿って、それぞれ複数のボルト孔を配列することでボルト留めの位置を調整可能としてもよい。
【００３７】
また、上述の実施形態では、取り付け部材２が垂木９１の一本おきに固定されているが、一本ずつ固定されてもよいし、２本おきに固定されてもよい。また、取り付け部材２をチャンネル８０に沿って２列に配列する際、１列目に属する取り付け部材２と２列目に属する取り付け部材２とで異なる垂木９１に固定されてもよい。
【符号の説明】
【００３８】
１００…架台
１…取り付け構造
２、２０２、３０２、４０２…取り付け部材
１０、２１０、３１０…基板
２０、２２０、３２０、４１０…支持板
２４…ボルト孔
８０ａ…ボルト孔
８０、２８０、３８０、４８０…チャンネル
９０…屋根
９１…垂木
【図１】
0003185161.tif 000003
【図２】
0003185161.tif 000004
【図３】
0003185161.tif 000005
【図４】
0003185161.tif 000006
【図５】
0003185161.tif 000007
【図６】
0003185161.tif 000008
【図７】
0003185161.tif 000009
【図８】
0003185161.tif 000010
【図９】
0003185161.tif 000011
【図１０】
0003185161.tif 000012
【図１１】
0003185161.tif 000013
【図１２】
0003185161.tif 000014
【図１３】
0003185161.tif 000015